(57)【特許請求の範囲】
【請求項１】
広告情報を表示可能な領域を有し、屈曲部を介して折り畳み可能な内部に隙間を有する一対の基体と、
各前記基体の下端部に屈曲自在に取り付けられ、前記基体を自立可能に保持する保持体と、
前記隙間に保持されるとともに前記保持体に連結され、前記保持体の屈曲にともなって、前記隙間を移動する移動体と、を備え、
前記屈曲部は、一方の基体に有する折り曲げ部と、他方の基体に有し、当該折り曲げ部よりも下方に設けられた前記他方の基体を上下に区分けする切込部と、を備え、
前記移動体の先端部は、前記切込部を超えて配置され、
前記他方の基体の上部下端縁には、下方に突出する突出片が、前記一方の基体と切り離されて設けられ、前記移動体の移動前において、前記移動体の先端部と重なり合うことを特徴とする広告体。
【請求項２】
前記移動体の厚みは、前記隙間よりも大きく、前記基体は弾性を有していることを特徴とする請求項１に記載の広告体。
【発明の詳細な説明】
【技術分野】
【０００１】
本発明は、広告情報を表示するために用いられる自立式の広告体に関する。
【背景技術】
【０００２】
従来から、各種商品やサービスのキャンペーンを顧客に告知するための広告情報を表示した広告体が知られている。
【０００３】
このような広告体は、様々な態様のものが知られており、例えば、店頭などに設置される大型の自立式広告パネル（特許文献１参照）や、店舗内のテーブル上に載置される小型の自立式広告パネルがある。
【０００４】
特許文献１に示す広告体は、広告情報が表示された大型で矩形状の表示パネルを立体的に折り曲げられた支持体により後方で支持するものであって、当該支持体を展開し、折り畳むことで薄い平面状に折り畳み可能となっている。
【先行技術文献】
【特許文献】
【０００５】
【特許文献１】実用新案登録第３１６２０７６号公報
【発明の概要】
【発明が解決しようとする課題】
【０００６】
このような従来の広告体は、支持体を展開し広告が表示される展示状態と支持体及び表示パネルを折り畳んで収納する収納状態とに転換自在であるものの、実際に折り畳み状態から展示状態に展開、展示状態から折り畳み状態に戻すには、相当な手間が必要である。
【０００７】
そこで、本発明は、上記問題点に鑑みてなされたものであり、その目的の一例は、容易に展示状態と収納状態に転換可能な広告体を提供することである。
【課題を解決するための手段】
【０００８】
上記課題を解決するために、請求項１に記載の広告体（１）は、広告情報を表示可能な領域を有し、屈曲部（３０）を介して折り畳み可能な、内部に隙間（２）を有する一対の基体（６、７）と、各前記基体の下端部に屈曲自在に取り付けられ、前記基体を自立可能に保持する保持体（１６、１７）と、前記隙間に保持されるとともに前記保持体に連結され、前記保持体の屈曲にともなって、前記隙間を移動する移動体（２０）と、を備え、前記屈曲部は、一方の基体（６）に有する折り曲げ部（１１）と、他方の基体（７）に有し、当該折り曲げ部よりも下方に設けられた前記他方の基体を上下に区分けする切込部（１３）と、を備え、前記移動体の先端部は、前記切込部を超えて配置され、前記他方の基体の上部下端縁には、下方に突出する突出片（１４）が、前記一方の基体と切り離されて設けられ、前記移動体の移動前において、前記移動体の先端部と重なり合うことを特徴とする。
【０００９】
また、請求項２に記載の広告体は、請求項１に記載の広告体において、前記移動体の厚みは、前記隙間よりも大きく、前記基体は弾性を有していることを特徴とする。
【発明の効果】
【００１０】
以上のように、本発明における広告体によれば、簡単に展示状態と収納状態を転換自在であり、コンパクトに折り畳まれるため、持ち運びや組立が誰でも簡単に行うことができる。
【図面の簡単な説明】
【００１１】
【図１】本実施形態における広告体の使用例を示す斜視図である。
【図２】本実施形態における広告表示用の基台の展示状態を示す斜視図であって、図１（ａ）は表側から視認した状態を示す斜視図、図１（ｂ）は裏側から視認した状態を示す斜視図である。
【図３】本実施形態における広告表示用の基台を収納状態から展開した状態の一例を示す図であって、図３（ａ）は斜視図、図３（ｂ）は縦断面図である。
【図４】本実施形態における広告表示用の基台の収納状態を示す図であって、図４（ａ）は斜視図、図４（ｂ）は縦断面図である。
【発明を実施するための形態】
【００１２】
以下に、本願発明の最良の実施形態を添付図面に基づいて説明する。なお、以下の説明において、便宜上、図１及び図２の上下方向を広告体又は基台の上下方向とし、奥行き側又は手前側を広告体又は基台の左方向、又は右方向とし、左右方向を広告体又は基台の前後方向として説明するものとする。
【００１３】
図１〜図４を用いて、本発明の自立式の広告体について詳述する。
【００１４】
本実施形態の自立式の広告体１は、例えば、イメージキャラクターを示す等身大の大きさを有し、ダンボール紙や厚紙等の用紙、又は樹脂等の弾性を有する材質を用いて製造される。
【００１５】
この広告体１は、例えば、図１に示すように、広告や宣伝に関する様々な情報（以下、「広告情報」と称する。）が描かれた広告表示体３と、この広告表示体３が周囲に取り付けられる自立式の広告表示用の基台１０と、を備えている。
【００１６】
この広告表示体３は、用紙や樹脂によって矩形状に形成された弾性を有する板状体であって、その両側端部が内側に折り込まれて形成されている。一方、広告表示用の基台１０は平坦状の広告表示部５を前後に有しており、この広告表示部５には、当該広告表示体３を折り曲げて略半楕円状に形成しつつ、その両側端部が図示しないマジックテープ（登録商標）などで着脱可能に取り付けられる。そして、本実施形態の広告体１は、前後の前記広告表示部５に、当該広告表示体３を取り付けることで立体的な広告表示が可能となっている。
【００１７】
なお、広告表示部５に対する広告表示体３の取付方法は、どのような形態でも良いが、広告表示体３の再使用や使用変更等を考慮すれば着脱可能であることが好ましい。一例としては、広告表示部５に予め切込みを形成しておき、その切込みに広告表示体３の一部を差し込むことで固定するような態様である。また、広告表示用の基台１０は、広告表示部５に直接、広告情報を表示することで広告表示用の基台１０が広告体１としても機能する。
【００１８】
この広告表示用の基台１０は、図２に示すように自立して広告情報を表示した状態を示す展示状態と、図４に示すように平坦状に、且つコンパクトに折り畳まれて収納される収納状態と、に転換自在であり、収納状態とすることで大型の広告体を簡単に持ち運ぶことが可能となっている。
【００１９】
図２に示すように、広告表示用の基台１０は、少なくとも広告情報を表示可能な領域を有し、屈曲部３０を介して２つに折り畳み可能（前方に折り畳み可能）な広告表示部５と、この広告表示部５を自立可能に下方で保持する自立保持部１５と、を備えている。
【００２０】
広告表示部５は、図３（ｂ）及び図４（ｂ）に示すように、上下方向内部に所定の隙間２を有するように一対の基体が貼り合わされて形成されており、下端面には当該隙間２と連絡する開口５ａを有している。
【００２１】
屈曲部３０は、図２に示すように、広告表示部５の表面６に形成された折り目線１１と、裏面に形成された切込部１３で構成される。折り目線１１は、図２（ａ）に示すように、中央部より少し下方に水平方向に延びるようにして形成されている。一方、切込部１３は、図３（ｂ）及び図４（ａ）に示すように、前記折り目線１１よりも下方に段差をつけて水平方向に形成されており、この切込部１３によって、裏面７が上下に区分けされている。
【００２２】
広告表示部５は、この折り目線１１と切込部１３により、図２に示すように、折り目線１１に沿ってその上部が前方に屈曲自在になっている。この結果、広告表示部５は、図４に示すように、上下方向においてほぼ半分に折り畳むことが可能である。
【００２３】
また、図２（ｂ）に示すように、広告表示部５の裏面７上部の下端縁には、下方に延びる突出体１４が当該裏面７上部と一体的に形成されている。また、図２及び図４に示すように、この突出体１４は、表面６とは切り離されて設けられている。
【００２４】
なお、この突出体１４は、見栄えを考慮しないのであれば、少なくとも一部が下方に突出していれば良く、その形状は、例えば、逆三角形、凹凸形状などどのような形態であっても構わない。また、後述するがこの突出体１４は、移動体２０がスムースに隙間２へと挿入されるようにガイドするガイド体として機能する。
【００２５】
自立保持部１５は、図２乃至図３に示すように、この広告表示部５の表面６及び裏面７下部のそれぞれの下端部から下方に延びるように設けられ、水平方向に延びる折り目線１８を介して双方が離れる方向（以下、「外側」と称する。）に屈曲自在に配置されている２つの支持部材１６、１７（本願の保持体）と、この支持部材１６、１７間に配置され、上下方向に移動可能であって一部が前記隙間２に挿入される移動体２０と、を備えている。
【００２６】
この前後２つの支持部材１６、１７は、移動体２０の下端部に取り付けられている。各支持部材１６、１７には、上下を区分けするようにして水平方向に延びる折り目線１９が形成されており、さらには、下端部近傍にも水平方向に延びる折り目線１９ｂが形成されている。そして、図２に示すように、自立保持部１５は、各支持体１６、１７の上部が外側に屈曲することで、各支持部材１６、１７の下部が当該折り目線１９を介して内側に屈曲し、側面視において略トラス形状に形成されることで、広告表示部５を下方から安定して自立可能に保持する。
【００２７】
このように支持部材１６、１７の上部は広告表示部５の表裏面６、７に対して傾斜する傾斜体として機能し、支持部材１６、１７の下部は傾斜体と移動体２０とを繋ぐ連結体として機能する。
【００２８】
移動体２０は、略逆Ｔ字状に形成されており、支持部材１６、１７の下部の屈曲動作にともなって隙間２を上方に移動する。また、図３に示すように、移動体２０の先端部は、裏面７下部の上端部（切込部１３）を超えて配置されており、移動体２０の移動によってその上方の隙間２に挿入される。なお、この先端部は、広告表示部５を折り畳むときに邪魔にならなければ良いため、前記折り目線１１を越えない範囲で配置される。また、先端部が裏面７下部の上端部を超えて配置される必要がある理由は、移動体２０が移動する際に、裏面７下部の上端縁と引っ掛かる場合が想定されるからである。
【００２９】
また、上述した突出体１４は、移動体２０の移動前において、移動体２０の先端部と少なくとも一部が重なり合うように配置される。これにより、移動体２０は、広告体の組立時において、裏面７上部の下端縁と引っ掛かることなく、隙間２へとスムースにガイドされる。
【００３０】
また、大型の広告体１を想定した場合、利用者によっては、移動体２０が上方へと真っすぐに移動せずに斜めに移動してしまい上手く組み立てることができないことが考えられるため、図示しないが、移動体２０の両側にガイドを設けて移動体２０が垂直方向に移動しやすいようにしても良い。さらには、切込部１３の隙間２の間口を移動体２０の幅よりも少し広い幅で規制するようにしても良い。
【００３１】
また、移動体２０の厚みは、広告表示用の基台１０に用いられる材質の弾性力を考慮して隙間２よりも大きく設計されることが好ましい。このようにすれば、移動体２０は、弾性力により基体が多少変形しつつも移動可能であるため、多少の寸法誤差があっても、がたつくことなくしっかりと組み立てることができる。特に、大型の広告体１を製造する際には、寸法誤差をシビアに気にする必要がなくなるため製造コストの低減を図れる。
【００３２】
このように、本実施形態の広告体１は、自立保持部１５が略トラス状に形成されることで、容易に剛性を高め安定して自立可能となっている。よって、大型の広告表示部１０を保持する場合であっても十分な強度を確保することができる。
【００３３】
次に、本実施形態にかかる広告体において、図４に示す収納状態から図２に示す展示状態までの組立手順の一例について説明する。
【００３４】
まず、図４に示す広告表示部５の上部を折り目線１１を介して上方へと持ち上げて、図３に示すように展開するとともに、広告体１を載置する載置面に支持部材１６、１７の下端面を押し当てる。この結果、図２に示すように、支持部材１６、１７の下部が折り目線１９を介して内側へと屈曲するとともに、支持部材１６、１７の上部が折り目線１８を介して外側へと屈曲する。そして、支持部材１６、１７の上部が広告表示部５の表裏面６、７に対して前後方向へと傾斜し、自立保持部１５の組立が完了する。
【００３５】
一方、移動体２０は、支持部材１６、１７の下部の屈曲動作にともなって、突出片１４によってガイドされつつ、その先端部が広告表示部５の上部の隙間２へと挿入される。この結果、図１に示すように、広告表示部５の上部が立設し、広告体１の組立が完了する。
【００３６】
なお、本実施形態では、連結体として機能する支持部材の下部は、傾斜体として機能する支持部材の上部下端と、移動体の下端と、に屈曲自在に連結されているが、部材の加工を容易にするためにこのような形態にしたものであって、必ずしも端部に連結されている必要はなく、例えば、支持部材１６、１７の上部中央部等であっても構わない。
【００３７】
以上に説明したように本実施形態の広告体１は、広告情報を表示可能な領域を有し、屈曲部３０を介して折り畳み可能な内部に隙間２を有する広告表示部５と、この広告表示部５の表裏それぞれの下端部に屈曲自在に取り付けられ、前記広告表示部５を自立可能に保持する一対の支持部材１６、１７と、前記隙間２に保持されるとともに前記支持部材１６、１７に連結され、前記支持部材１６、１７の屈曲にともなって、前記隙間２を移動する移動体２０と、を備え、前記屈曲部３０は、表面６に有する折り曲げ線１１と、裏面７に有し、当該折り曲げ線１１よりも下方に設けられた裏面７を上下に区分けする切込部１３と、を備え、前記移動体２０の先端部は、前記切込部１３を超えて配置され、前記裏面７の上部下端縁には、下方に突出する突出片１４が、前記表面６と切り離されて設けられ、前記移動体２０の移動前において、前記移動体２０の先端部と重なり合うように配置されている。このような広告体１によれば、支持部材１６、１７のそれぞれが外側に屈曲することによって自立可能となる。よって、広告体１は、支持部材１６、１７の屈曲によって、簡単に展示状態と収納状態を転換自在となり、収納状態とすれば持ち運びに便利となる。
【００３８】
また、前記移動体２０の厚みは、前記隙間２よりも大きく、広告表示部５は弾性を有する材質で形成されている。これにより、多少の寸法誤差があっても、がたつくことなく組みたてることができる。
【００３９】
なお、以上説明した実施形態は特許請求の範囲にかかる発明を限定するものではない。そして、上記実施形態の中で説明されている構成の組み合わせのすべてが発明の課題解決に必須の手段であるとは限らない。
【００４０】
具体的には、本実施形態における広告表示部５は略矩形の形状としたが、当該略矩形の形状の１つ乃至すべての頂点を面取りした形状（例えば、略五角形、略六角形、略七角形、又は略八角形等）としたり、人型としても構わない。すなわち、広告表示部５の形状は特に限定されるものではなく、どのような形状を有していても構わない。
【００４１】
また、実施形態で説明した折り目線は、用紙体を折り曲げ自在とするための処理が施されたものであり、例えば、用紙体に対して、筋付け（筋押し、又は筋入れ）等の各処理を施すことにより形成される（いわゆる罫線も含む）。
【００４２】
また、広告体や基台の素材としては、用紙や段ボールに限られず、アクリル板等であっても構わず、いわゆる平板状の基材であって弾性を有する材質であれば良い。
【００４３】
また、各実施形態で示す折り目線は、屈曲自在に連結したものを示すが、分離している部材同士をテープ等で接合して連結するようにしても構わない。
【符号の説明】
【００４４】
１        広告体
２        隙間
５        広告表示部
１１        折り目線
１３        切込部
１４        突出片
１６、１７  支持部材
２０        移動体
３０        屈曲部
【図１】
0005910146.tif 000002
【図２】
0005910146.tif 000003
【図３】
0005910146.tif 000004
【図４】
0005910146.tif 000005